(57)【要約】【課題】トナーの廃棄量を把握することを可能とする。【解決手段】プリンタに配設されたＣＰＵ２１は、機能的に、画像を形成する度に、記録用紙上に転写されないトナーである廃棄トナーの発生量を算出する廃棄量算出部２１１と、廃棄量算出部２１１により算出された廃棄トナーの発生量を積算して積算値を求める積算部２１４と、積算部２１４により求められた廃棄トナー積算値を操作表示部１２のＬＣＤに表示する表示制御部２１６とを備えている。【選択図】図２
2007199446.tif 000002
【特許請求の範囲】
【請求項１】
トナーカートリッジから供給されるトナーを転写することにより記録用紙上に画像を形成する画像形成装置であって、
画像を形成する度に、前記記録用紙上に転写されないトナーである廃棄トナーの発生量を求める廃棄量算出手段と、
前記廃棄トナーの発生量を積算して積算値を求める積算手段と、
前記積算手段により求められた廃棄トナーの発生量の積算値を外部から視認可能に表示する表示手段とを備えることを特徴とする画像形成装置。
【請求項２】
画像を形成する度に、前記記録用紙上に転写されるトナーである転写トナーの発生量を求める転写量算出手段を備え、
前記積算手段は、前記転写トナーの発生量を積算して積算値を求め、
前記表示手段は、前記積算手段により積算された転写トナーの発生量の積算値に対する、前記積算手段により求められた廃棄トナーの発生量の積算値の割合を、外部から視認可能に表示することを特徴とする請求項１に記載の画像形成装置。
【請求項３】
画像を形成する度に、前記廃棄トナーの発生量と前記記録用紙上に転写されるトナーである転写トナーの発生量との和をトナー消費量として求める消費量算出手段を備え、
前記積算手段は、前記トナー消費量を積算して積算値を求め、
前記表示手段は、前記積算手段により積算されたトナー消費量の積算値に対する、前記積算手段により求められた廃棄トナーの発生量の積算値の割合を、外部から視認可能に表示することを特徴とすることを特徴とする請求項１又は請求項２に記載の画像形成装置。
【請求項４】
前記トナーカートリッジが交換されたか否かを判定する交換判定手段と、
前記積算値を、２以上の所定個数のトナーカートリッジにそれぞれ対応付けて格納する積算値記憶手段とを備え、
前記積算手段は、前記交換判定手段により前記トナーカートリッジが交換されたと判定される度に、前記積算値を、交換されたトナーカートリッジに対応付けて前記積算値記憶手段に格納して、前記積算値を零にリセットし、
前記表示手段は、前記積算値記憶手段に格納された前記所定個数のトナーカートリッジに対応する積算値を読み出して、前記トナーカートリッジの交換順に、外部から視認可能に表示することを特徴とする請求項１〜請求項３のいずれかに記載の画像形成装置。
【請求項５】
前記表示手段は、前記積算値記憶手段に格納された前記所定個数のトナーカートリッジに対応する積算値を読み出して、その平均値、最大値及び最小値の少なくとも１つを求め、外部から視認可能に表示することを特徴とする請求項４に記載の画像形成装置。
【請求項６】
前記積算値記憶手段に格納された前記所定個数のトナーカートリッジに対応する積算値を読み出して、読み出した積算値に対応する画像を記録用紙上に形成する積算値記録手段を備えることを特徴とする請求項４に記載の画像形成装置。
【発明の詳細な説明】
【技術分野】
【０００１】
本発明は、トナーカートリッジから供給されるトナーを転写することにより記録用紙上に画像を形成する画像形成装置に関するものである。特に、複写機、ファクシミリ、インターネットファクシミリ、ネットワークプリンタ、及び、これらの機能の内の少なくとも１以上の機能を有する複合機に関するものである。
【背景技術】
【０００２】
複写機等のトナーカートリッジから供給されるトナーを転写することにより記録用紙上に画像を形成する画像形成装置において、転写されなかったトナーは廃棄トナーとして廃棄トナーボックスに蓄積された後、廃棄される。また、形成される画像の品位を確保するために、現像ユニット内で長時間攪拌されることによって劣化した（例えば、微粉化した）トナーも、廃棄トナーとして廃棄トナーボックスに蓄積された後、廃棄される。なお、トナーの廃棄量は、環境に及ぼす影響度を評価する観点で重要な指標である。
【０００３】
一方、複写機等の画像形成装置には、ＬＣＤ（Ｌｉｑｕｉｄ  Ｃｒｙｓｔａｌ  Ｄｉｓｐｌａｙ）等からなり種々の情報を文字情報として表示する表示部が配設されている。従来、複写機等の画像形成装置の表示部には、操作情報、エラーメッセージ、設定情報等の種々の情報を表示するべく構成されていた（特許文献１参照）。
【特許文献１】特開２００５−２０８３３９号公報
【発明の開示】
【発明が解決しようとする課題】
【０００４】
しかしながら、トナーの廃棄量は、ユーザが把握し得る情報（例えば、上記ＬＣＤに表示される情報）としては提示されないため、ユーザにとって、トナーの廃棄量を定量的に把握することは困難であった。
【０００５】
本発明は、上記課題に鑑みてなされたものであって、トナーの廃棄量を把握することが可能な画像形成装置を提供することを目的としている。
【課題を解決するための手段】
【０００６】
上記目的を達成するために請求項１に記載の画像形成装置は、トナーカートリッジから供給されるトナーを転写することにより記録用紙上に画像を形成する画像形成装置であって、画像を形成する度に、前記記録用紙上に転写されないトナーである廃棄トナーの発生量を求める廃棄量算出手段と、前記廃棄トナーの発生量を積算して積算値を求める積算手段と、前記積算手段により求められた廃棄トナーの発生量の積算値を外部から視認可能に表示する表示手段とを備えることを特徴としている。
【０００７】
請求項２に記載の画像形成装置は、請求項１に記載の画像形成装置であって、画像を形成する度に、前記記録用紙上に転写されるトナーである転写トナーの発生量を求める転写量算出手段を備え、前記積算手段が、前記転写トナーの発生量を積算して積算値を求め、前記表示手段が、前記積算手段により積算された転写トナーの発生量の積算値に対する、前記積算手段により求められた廃棄トナーの発生量の積算値の割合を、外部から視認可能に表示することを特徴としている。
【０００８】
請求項３に記載の画像形成装置は、請求項１又は請求項２に記載の画像形成装置であって、画像を形成する度に、前記廃棄トナーの発生量と前記記録用紙上に転写されるトナーである転写トナーの発生量との和をトナー消費量として求める消費量算出手段を備え、前記積算手段が、前記トナー消費量を積算して積算値を求め、前記表示手段が、前記積算手段により積算されたトナー消費量の積算値に対する、前記積算手段により求められた廃棄トナーの発生量の積算値の割合を、外部から視認可能に表示することを特徴とすることを特徴としている。
【０００９】
請求項４に記載の画像形成装置は、請求項１〜請求項３のいずれかに記載の画像形成装置であって、前記トナーカートリッジが交換されたか否かを判定する交換判定手段と、前記積算値を、２以上の所定個数のトナーカートリッジにそれぞれ対応付けて格納する積算値記憶手段とを備え、前記積算手段が、前記交換判定手段により前記トナーカートリッジが交換されたと判定される度に、前記積算値を、交換されたトナーカートリッジに対応付けて前記積算値記憶手段に格納して、前記積算値を零にリセットし、前記表示手段が、前記積算値記憶手段に格納された前記所定個数のトナーカートリッジに対応する積算値を読み出して、前記トナーカートリッジの交換順に、外部から視認可能に表示することを特徴としている。
【００１０】
請求項５に記載の画像形成装置は、請求項４に記載の画像形成装置であって、前記表示手段が、前記積算値記憶手段に格納された前記所定個数のトナーカートリッジに対応する積算値を読み出して、その平均値、最大値及び最小値の少なくとも１つを求め、外部から視認可能に表示することを特徴としている。
【００１１】
請求項６に記載の画像形成装置は、請求項４又は請求項５に記載の画像形成装置であって、前記積算値記憶手段に格納された前記所定個数のトナーカートリッジに対応する積算値を読み出して、読み出した積算値に対応する画像を記録用紙上に形成する積算値記録手段を備えることを特徴としている。
【発明の効果】
【００１２】
請求項１に記載の画像形成装置によれば、記録用紙上に転写されないトナーである廃棄トナーの発生量の積算値が外部から視認可能に表示されるため、廃棄トナーの発生量（＝トナーの廃棄量）を容易に把握することができる。
【００１３】
請求項２に記載の画像形成装置によれば、記録用紙上に転写されるトナーである転写トナーの発生量の積算値に対する廃棄トナーの発生量の積算値の割合が、外部から視認可能に表示されるため、廃棄トナーの多寡を定量的に評価できる。
【００１４】
請求項３に記載の画像形成装置によれば、廃棄トナーの発生量と転写トナーの発生量との和であるトナー消費量の積算値に対する廃棄トナーの発生量の積算値の割合が外部から視認可能に表示されるため、廃棄トナーの多寡を定量的に評価できる。
【００１５】
請求項４に記載の画像形成装置によれば、所定個数のトナーカートリッジに対応する積算値（廃棄トナーの発生量の積算値、転写トナーの発生量の積算値又はトナー消費量の積算値）が、トナーカートリッジの交換順に、外部から視認可能に表示されるため、廃棄トナーの発生量（又は、転写トナーの発生量、トナー消費量）の推移を容易に把握することができる。
【００１６】
請求項５に記載の画像形成装置によれば、所定個数のトナーカートリッジに対応する積算値（廃棄トナーの発生量の積算値、転写トナーの発生量の積算値又はトナー消費量の積算値）の平均値、最大値及び最小値の少なくとも１つが外部から視認可能に表示されるため、廃棄トナーの発生量（又は、転写トナーの発生量、トナー消費量）の多寡を過去の実績と比較して評価することができる。
【００１７】
請求項６に記載の画像形成装置によれば、積算値（廃棄トナーの発生量の積算値、転写トナーの発生量の積算値又はトナー消費量の積算値）に対応する画像が記録用紙上に形成されるため、廃棄トナーの発生量（又は、転写トナーの発生量、トナー消費量）を確実に記録できる。
【発明を実施するための最良の形態】
【００１８】
以下、本発明に係る画像形成装置の一例について図面を参照して説明する。図１は本発明に係る画像形成装置の概略構成の一例を示す模式図である。なお、ここでは、画像形成装置が、モノクロのプリンタである場合について説明するが、カラープリンタである形態でもよいし、トナーを転写することにより記録用紙上に画像を形成する他の画像形成装置（例えば、ファクシミリ、複写機等）である形態でもよい。図１に示すように、プリンタ１は、プリンタ本体１１内に、操作表示部１２、トナーカートリッジ１３、現像ユニット１４、感光ドラム１５、レーザ走査ユニット１５１、帯電ローラ１６、転写ローラ１７、クリーニングユニット１８、及び、廃棄トナーボックス１９を備えている。また、プリンタ１は、適所に、図２を用いて後述する制御部２を備えている。
【００１９】
操作表示部１２（表示手段の一部に相当する）は、外部からの操作を受け付けると共に種々の情報を表示するものである。具体的には、操作表示部１２は、例えば、ＬＣＤ（Ｌｉｑｕｉｄ  Ｃｒｙｓｔａｌ  Ｄｉｓｐｌａｙ）等からなり種々の操作情報、設定情報、ガイダンス情報等を表示する表示部と、種々の操作ボタン、ＬＣＤと一体に形成されたタッチパネル等からなり、ユーザからの操作を受け付ける操作部とを備えている。
【００２０】
トナーカートリッジ１３は、現像ユニット１４へトナーを供給するものであって、現像ユニット１４の上部に着脱自在に構成されている。すなわち、トナーカートリッジ１３には、予め所定量（例えば、５００ｇ）のトナーが格納されており、記録用紙上への転写等により消費されるトナーを補充するものである。また、現像ユニット１４を介してトナーが消費され、トナーカートリッジ１３内に格納されたトナーが所定量未満となると、後述する制御部２によってトナーカートリッジの交換時期である旨のガイダンス情報が操作表示部１２に表示され、ユーザによってトナーカートリッジ１３が交換される。
【００２１】
現像ユニット１４は、レーザービーム等によって感光ドラム１６の表面に形成された、外部装置より入力された画像データに対応する静電潜像にトナーを付着させてトナー像を形成するものである。また、現像ユニット１４は、トナーカートリッジ１３から供給されたトナーを攪拌する攪拌部材１４１と、レーザ走査ユニット１５１により感光ドラム１６の表面に形成された静電潜像にトナーを付着させる現像ローラ１４２とを備えている。
【００２２】
感光ドラム１５は、まず、その表面が帯電ローラ１６によって略均一に帯電され、次に、現像ユニット１４によって、原稿画像に対応する静電潜像にトナーが付着されてトナー像が形成され、更に、そのトナー像が転写ローラ１７によって記録用紙上に転写されるものである。また、感光ドラム１６は、例えば、直径３０ｍｍのアルミニウム製のドラム基体上に正帯電のアモルファスシリコンからなる光導電層が形成されたものであって、図の時計回りに所定の周速（例えば、１７５ｍｍ／ｓｅｃ）で回転駆動されるものである。
【００２３】
帯電ローラ１６は、例えば、接触帯電方式を用いて感光ドラム４の表面を略均一に帯電させるものであって、芯金と、その外周の導電層と、更にその外周の抵抗層とを有する。そして、帯電ローラ１６には、所定の電圧（ここでは、直流電圧に交流電圧を重畳したもの）を印加する電源（図示省略）が配設されている。
【００２４】
クリーニングユニット１８は、現像ユニット１４によって現像時に感光ドラム１５の表面に付着され、転写後に感光ドラム１５の表面に残存しているトナー（転写残りトナー）等の付着物を機械的に剥ぎ取ることによってクリーニングするものであって、剥ぎ取られた転写残りトナー等は、廃棄トナーボックス１９に収納される。
【００２５】
図２は、制御部２の一例を示す機能構成図である。制御部２は、プリンタ１全体の動作を制御するものであって、ＣＰＵ（Ｃｅｎｔｒａｌ  Ｐｒｏｃｅｓｓｉｎｇ  Ｕｎｉｔ）２１と、ＲＡＭ（Ｒａｎｄｏｍ  Ａｃｃｅｓｓ  Ｍｅｍｏｒｙ）２２と、図略のＲＯＭ（Ｒｅａｄ  Ｏｎｌｙ  Ｍｅｍｏｒｙ）とを備えている。ＣＰＵ２１は、機能的に、廃棄量算出部２１１、転写量算出部２１２、消費量算出部２１３、積算部２１４、交換判定部２１５、表示制御部２１６、及び、積算値記録部２１７を備え、ＲＡＭ２２は、機能的に、積算値記憶部２２１を備えている。
【００２６】
ここでは、ＣＰＵ２１が、ＲＯＭ等に予め格納されたプログラムを読み出して実行することにより、廃棄量算出部２１１、転写量算出部２１２、消費量算出部２１３、積算部２１４、交換判定部２１５、表示制御部２１６、積算値記録部２１７等の機能部として機能すると共に、ＲＡＭ２２を、積算値記憶部２２１等の機能部として機能させるものである。
【００２７】
また、ＲＡＭ２２、ＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００２８】
廃棄量算出部２１１（廃棄量算出手段に相当する）は、画像を形成する度に、記録用紙上に転写されないトナーである廃棄トナーの発生量を算出するものである。ここでは、廃棄量算出部２１１は、例えば、印字率、濃度設定値、環境温度、及び、環境湿度に基づいて、廃棄トナーの発生量を算出するものである。具体的には、例えば、印字率、濃度設定値、環境温度、及び、環境湿度に関してそれぞれ複数の区分（例えば、印字率に関しては、０〜１００％の間を５％刻みで２０区分、濃度設定値、環境温度及び環境湿度に関しては、それぞれ、５区分、０〜４０℃の間を５℃刻みで８区分、０〜１００％の間を１０％刻みで１０区分）が設定されたテーブルに、対応する廃棄トナーの発生量（実験等により求められた値：８０００（＝２０×５×８×１０）個の条件にそれぞれ対応する廃棄トナーの発生量）が予めＲＯＭ等に格納されており、廃棄量算出部２１１は、画像を形成する度に、画像形成時の印字率、濃度設定値、環境温度及び環境湿度を求め、対応する廃棄トナーの発生量を前記テーブルから読み出すことにより、廃棄トナーの発生量を算出するものである。
【００２９】
ただし、印字率は、記録用紙上にトナーが転写される面積を記録用紙の印刷可能領域の全面積で除したものである。また、濃度設定値は、操作表示部１２を介してユーザにより設定されるものである。ここでは、濃度設定値は、例えば、５段階のレベルのいずれかに設定可能に構成されている。更に、環境温度及び環境湿度は、それぞれ、プリンタ１の適所に配設された温度センサ、湿度センサから所定時間毎にＣＰＵ２１によって取得されるものである。
【００３０】
転写量算出部２１２（転写量算出手段に相当する）は、画像を形成する度に、記録用紙上に転写されるトナーである転写トナーの発生量を求めるものである。ここでは、転写量算出部２１２は、廃棄量算出部２１１と同様にして、印字率、濃度設定値、環境温度、及び、環境湿度に基づいて、廃棄トナーの発生量を算出するものである。消費量算出部２１３（消費量算出手段に相当する）は、画像を形成する度に、廃棄量算出部２１１により算出された廃棄トナーの発生量と転写量算出部２１２により算出された転写トナーの発生量との和をトナー消費量として求めるものである。
【００３１】
積算部２１４（積算手段に相当する）は、廃棄量算出部２１１により算出された廃棄トナーの発生量を積算して積算値（以下、廃棄トナー積算値という）を求めると共に、転写量算出部２１２により算出された転写トナーの発生量を積算して積算値（以下、転写トナー積算値という）を求め、更に、消費量算出部２１３により算出されたトナー消費量を積算して積算値（以下、消費トナー積算値という）を求めるものである。また、積算部２１４は、交換判定部２１５によりトナーカートリッジ１３が交換されたと判定される度に、廃棄トナー積算値、転写トナー積算値、消費トナー積算値を、それぞれ、交換されたトナーカートリッジ１３に対応付けて積算値記憶部２２１に格納して、各積算値を零にリセットするものである。
【００３２】
交換判定部２１５は、トナーカートリッジ１３が交換されたか否かを判定するものである。具体的には、交換判定部２１５は、例えば、ユーザによってトナーカートリッジ１３が交換される際に、操作表示部１２を介してユーザからの所定の操作入力を受け付けた場合（例えば、操作表示部１２のＬＣＤに「トナーカートリッジ交換完了ボタン」を表示して、そのボタンが押下されたことがタッチパネルにより検出された場合）に、トナーカートリッジ１３が交換されたと判定するものである。
【００３３】
表示制御部２１６（表示手段の一部に相当する）は、積算部２１４により求められた廃棄トナー積算値を外部から視認可能に（ここでは、例えば、操作表示部１２のＬＣＤに）表示するものである。また、表示制御部２１６は、廃棄トナー積算値の転写トナー積算値に対する割合を求め、外部から視認可能に（ここでは、例えば、操作表示部１２のＬＣＤに）表示するものである。
【００３４】
更に、表示制御部２１６（表示手段の一部に相当する）は、積算値記憶部２２１に格納された所定個数（ここでは、例えば、１０個）のトナーカートリッジ１３に対応する廃棄トナー積算値を読み出して、前記トナーカートリッジ１３の交換順に、外部から視認可能に（ここでは、例えば、操作表示部１２のＬＣＤに）表示するものである。また、表示制御部２１６は、積算値記憶部２２１に格納された所定個数（ここでは、例えば、１０個）のトナーカートリッジ１３に対応する積算値（廃棄トナー積算値及び転写トナー積算値）を読み出して、廃棄トナー積算値の転写トナー積算値に対する割合を求め、前記トナーカートリッジ１３の交換順に、外部から視認可能に（ここでは、例えば、操作表示部１２のＬＣＤに）表示するものである。
【００３５】
加えて、表示制御部２１６は、積算値記憶部２２１に格納された所定個数（ここでは、例えば、１０個）のトナーカートリッジ１３に対応する廃棄トナー積算値を読み出して、その平均値、最大値及び最小値を求め、外部から視認可能に（ここでは、例えば、操作表示部１２のＬＣＤに）表示するものである。また、表示制御部２１６は、積算値記憶部２２１に格納された所定個数（ここでは、例えば、１０個）のトナーカートリッジ１３に対応する積算値（廃棄トナー積算値及び転写トナー積算値）を読み出して、廃棄トナー積算値の転写トナー積算値に対する割合を求めて、次に、求めた所定個数（ここでは、例えば、１０個）の廃棄トナー積算値の転写トナー積算値に対する割合の平均値、最大値及び最小値を求め、外部から視認可能に（ここでは、例えば、操作表示部１２のＬＣＤに）表示するものである。
【００３６】
積算値記録部２１７（積算値記録手段に相当する）は、所定のタイミングで（ここでは、プリンタ１の内部設定値等が印刷出力されるステータスページの印刷時に）、積算値記憶部２２１に格納された所定個数（ここでは、例えば、１０個）のトナーカートリッジ１３に対応する廃棄トナー積算値を読み出して、読み出した積算値に対応する画像を記録用紙上に形成する（＝印刷出力する）ものである。なお、ステータスページの印刷は、例えば、所定期間毎（例えば、１ヶ月毎）に出力されるものである。また、積算値記録部２１７は、積算値記憶部２２１に格納された所定個数（ここでは、例えば、１０個）のトナーカートリッジ１３に対応する廃棄トナー積算値を読み出して、その平均値、最大値及び最小値を求め、求めた平均値、最大値及び最小値に対応する画像を記録用紙上に（ここでは、ステータスページに）形成するものである。
【００３７】
更に、積算値記録部２１７は、積算値記憶部２２１に格納された所定個数（ここでは、例えば、１０個）のトナーカートリッジ１３に対応する積算値（廃棄トナー積算値及び転写トナー積算値）を読み出して、トナーカートリッジ１３毎に、廃棄トナー積算値の転写トナー積算値に対する割合を求め、求めた廃棄トナー積算値の転写トナー積算値に対する割合に対応する画像を記録用紙上に形成する（＝印刷出力する）ものである。また、積算値記録部２１７は、上述のようにして求めたトナーカートリッジ１３毎の廃棄トナー積算値の転写トナー積算値に対する割合について、その平均値、最大値及び最小値を求め、求めた平均値、最大値及び最小値に対応する画像を記録用紙上に形成するものである。
【００３８】
積算値記憶部２２１（積算値記憶手段に相当する）は、積算部２１４によって求められた積算値（廃棄トナー積算値、転写トナー積算値及び消費トナー積算値）を、２以上の所定個数（ここでは、例えば、１０個）のトナーカートリッジにそれぞれ対応付けて格納するものである。
【００３９】
図３は、表示制御部２１６によって操作表示部１２のＬＣＤに表示される画面の一例を示す画面図である。（ａ）は、積算部２１４により求められた廃棄トナー積算値を表示する画面の画面図の一例である。ＬＣＤには、「トナーハイキリョウ  ゲンザイ  ２３．５ｇ」と表示され、廃棄トナー積算値が現時点で２３．５ｇであることが分かる。（ｂ）は、積算部２１４により求められた廃棄トナー積算値の転写トナー積算値に対する割合を表示する画面の画面図の一例である。ＬＣＤには、「トナーハイキリョウ  ヒリツ  ゲンザイ  ５．８％」と表示され、廃棄トナー積算値の転写トナー積算値に対する割合が現時点で５．８％であることが分かる。
【００４０】
（ｃ）は、積算値記憶部２２１に格納された１０個のトナーカートリッジ１３に対応する廃棄トナー積算値を読み出して、トナーカートリッジ１３の交換順に、ＬＣＤに表示する画面の画面図の一例である。ＬＣＤには、例えば、「トナーハイキリョウ  リレキ  １ケンメ  １８．９ｇ」と表示され、直前に交換されたトナーカートリッジ１３に対応する廃棄トナー積算値が、１８．９ｇであることが分かる。また、ＬＣＤには、順次、トナーカートリッジ１３の交換順に、対応する廃棄トナー積算値が表示されるため、交換されたトナーカートリッジ１３毎の廃棄トナー積算値の推移（時系列的変化）が把握される。
【００４１】
（ｄ）は、積算値記憶部２２１に格納された１０個のトナーカートリッジ１３に対応する廃棄トナー積算値及び転写トナー積算値を読み出して求められた廃棄トナー積算値の転写トナー積算値に対する割合を、トナーカートリッジ１３の交換順に、ＬＣＤに表示する画面の画面図の一例である。ＬＣＤには、例えば、「トナーハイキリョウ  ヒリツ  リレキ  １ケンメ  ２．８％」と表示され、直前に交換されたトナーカートリッジ１３に対応する廃棄トナー積算値の転写トナー積算値に対する割合が、２．８％であることが分かる。また、ＬＣＤには、順次、トナーカートリッジ１３の交換順に、対応する廃棄トナー積算値の転写トナー積算値に対する割合が表示されるため、交換されたトナーカートリッジ１３毎の廃棄トナー積算値の転写トナー積算値に対する割合の推移（時系列的変化）が把握される。
【００４２】
（ｅ）は、積算値記憶部２２１に格納された１０個のトナーカートリッジ１３に対応する積算値（廃棄トナー積算値、転写トナー積算値及び消費トナー積算値）を読み出して求められた積算値の平均値、最大値及び最小値をＬＣＤに表示する画面の画面図の一例である。ＬＣＤには、例えば、「トナーハイキリョウ  ヘイキン  ２６．２ｇ」と表示され、交換された１０個のトナーカートリッジ１３に対応する廃棄トナー積算値の平均値が２６．２ｇであることが分かる。
【００４３】
（ｆ）は、積算値記憶部２２１に格納された１０個のトナーカートリッジ１３に対応する廃棄トナー積算値及び転写トナー積算値を読み出して求められた廃棄トナー積算値の転写トナー積算値に対する割合の平均値、最大値及び最小値をＬＣＤに表示する画面の画面図の一例である。ＬＣＤには、例えば、「トナーハイキリョウ  ヒリツ  ヘイキン  ５．９％」と表示され、交換された１０個のトナーカートリッジ１３に対応する廃棄トナー積算値の転写トナー積算値に対する割合の平均値が５．９％であることが分かる。
【００４４】
図４は、積算値記録部２１７によって廃棄トナー積算値等が記録用紙上に形成されたステータスページの一例を示す図である。（ａ）は、ステータスページのレイアウトイメージであって、ここでは、廃棄トナー積算値等は、ステータスページの右下部に印刷される。（ｂ）は、ステータスページに印刷された廃棄トナー積算値等の図表である。左欄が、項目を示す欄であり、中央欄及び右欄が、それぞれ、廃棄トナー積算値及び廃棄トナー積算値の転写トナー積算値に対する割合を示す欄である。上から２行目には、積算部２１４により求められた廃棄トナー積算値及び廃棄トナー積算値の転写トナー積算値に対する割合の現在値が印刷され、上から３行目から１２行目には、交換された１０個のトナーカートリッジ１３毎の廃棄トナー積算値及び廃棄トナー積算値の転写トナー積算値に対する割合が印刷され、上から１３行目から１５行目には、交換された１０個のトナーカートリッジ１３に対応する廃棄トナー積算値及び廃棄トナー積算値の転写トナー積算値に対する割合の平均値、最大値及び最小値が印刷されている。このようにステータスページに印刷されるため、廃棄トナー積算値及び廃棄トナー積算値の転写トナー積算値に対する割合の推移を確実に記録することができる。
【００４５】
このようにして、記録用紙上に転写されないトナーである廃棄トナーの発生量の積算値が、操作表示部１２のＬＣＤに表示されると共に、ステータスページに印刷されるため、廃棄トナーの発生量（＝トナーの廃棄量）が容易に把握される。また、記録用紙上に転写されるトナーである転写トナーの発生量の積算値に対する廃棄トナーの発生量の積算値の割合が、操作表示部１２のＬＣＤに表示されると共に、ステータスページに印刷されるため、廃棄トナーの多寡が定量的に評価される。
【００４６】
更に、１０個のトナーカートリッジ１３に対応する廃棄トナーの発生量の積算値が、トナーカートリッジの交換順に、操作表示部１２のＬＣＤに表示されると共に、ステータスページに印刷されるため、廃棄トナーの発生量の推移が容易に把握される。加えて、１０個のトナーカートリッジ１３に対応する廃棄トナーの発生量の積算値の平均値、最大値及び最小値が、操作表示部１２のＬＣＤに表示されると共に、ステータスページに印刷されるため、廃棄トナーの発生量の多寡を過去の実績と比較して評価することが可能となる。また、廃棄トナーの発生量の積算値に対応する画像が記録用紙上に形成されるため、廃棄トナーの発生量が確実に記録される。
【００４７】
なお、本発明は、以下の形態にも適用可能である。
（Ａ）本実施形態では、表示制御部２１６が廃棄トナー積算値の転写トナー積算値に対する割合を表示する場合について説明したが、廃棄トナー積算値の消費トナー積算値に対する割合を表示する形態でもよい。
【００４８】
（Ｂ）本実施形態では、積算値記憶部２２１が１０個のトナーカートリッジ１３毎の廃棄トナー積算値、転写トナー積算値及び消費トナー積算値を格納する場合について説明したが、格納するトナーカートリッジ１３の個数（＝所定個数）は、その他の（１０以外の）２以上の任意の個数でもよい。所定個数が多い程、廃棄トナー積算値等の推移が正確に把握される。
【００４９】
（Ｃ）本実施形態では、交換判定部２１５がユーザからの操作入力に基づいてトナーカートリッジ１３が交換されたか否かを判定する場合について説明したが、その他の方法によりトナーカートリッジ１３が交換されたか否かを判定する形態でもよい。例えば、トナーカートリッジ１３の所定位置に記載された識別情報を取得して、識別情報に基づいて判定する形態でもよい。この場合には、操作入力によるユーザの手間が軽減される。
【００５０】
（Ｄ）本実施形態では、廃棄量算出部２１１が、画像を形成する度に、印字率、濃度設定値、環境温度、及び、環境湿度に基づいて、廃棄トナーの発生量を算出する場合について説明したが、その他の方法により廃棄トナーの発生量を算出する形態でもよい。例えば、廃棄量算出部２１１が、画像を形成する度に、印字率、濃度設定値、環境温度、及び、環境湿度に基づいて、廃棄トナーの発生量を算出することに加えて、現像ユニット内で長時間攪拌されることによって劣化した（例えば、微粉化した）トナーを強制的に廃棄する際の廃棄トナーの発生量も考慮して廃棄トナーの発生量を算出する形態でもよい。この場合には、廃棄トナーの発生量がより正確に算出される。また、画像を形成する度に、印字率、濃度設定値、環境温度、及び、環境湿度の少なくとも１つに基づいて、廃棄トナーの発生量を算出する形態でもよい。この場合には、算出処理が簡略化される。
【００５１】
（Ｅ）本実施形態では、消費量算出部２１３が、廃棄量算出部２１１により算出された廃棄トナーの発生量と転写量算出部２１２により算出された転写トナーの発生量との和をトナー消費量として求める場合について説明したが、濃度設定値、環境温度、及び、環境湿度に基づいてトナー消費量を算出する形態でもよい。この場合には、転写量算出部２１２は、トナー消費量から廃棄量算出部２１１により算出された廃棄トナーの発生量を減じることにより転写トナーの発生量を求めることができ、処理が簡略化される。
【００５２】
（Ｆ）本実施形態では、積算値記録部２１７がステータスページの一部に廃棄トナー積算値及び廃棄トナー積算値の転写トナー積算値に対する割合を印刷する形態について説明したが、廃棄トナー積算値及び廃棄トナー積算値等を所定のタイミングで印刷する形態でもよい。例えば、トナーカートリッジ１３が所定個数（ここでは、１０個）交換される度に、廃棄トナー積算値及び廃棄トナー積算値等を印刷出力する形態でもよい。
【００５３】
（Ｇ）本実施形態では、表示制御部２１６（積算値記録部２１７）が廃棄トナー積算値の転写トナー積算値に対する割合を表示（印刷出力）する場合について説明したが、廃棄トナー積算値の転写トナー積算値に対する割合に代えて（又は加えて）、廃棄トナー積算値の消費トナー積算値に対する割合を表示（印刷出力）する形態でもよい。
【００５４】
（Ｈ）本実施形態では、表示制御部２１６（積算値記録部２１７）が廃棄トナー積算値を表示（印刷出力）する場合について説明したが、廃棄トナー積算値に代えて（又は加えて）、転写トナー積算値及び消費トナー積算値の少なくとも一方を表示（印刷出力）する形態でもよい。
【００５５】
（Ｉ）本実施形態では、廃棄量算出部２１１、消費量算出部２１３が廃棄トナーの発生量及びトナー消費量をそれぞれ算出して求める場合について説明したが、廃棄量算出部２１１、消費量算出部２１３がその他の方法で廃棄トナーの発生量及びトナー消費量を求める形態でもよい。例えば、廃棄量算出部２１１が、廃棄トナーの発生量を、廃棄トナーボックス１９に搬入されるトナーの量を検出することにより求める形態でもよい。また、消費量算出部２１３が、トナー消費量を、トナーカートリッジ１３から現像ユニット１４へ供給されるトナーの量を検出することにより求める形態でもよい。なお、この場合には、転写トナーの発生量は、トナー消費量から廃棄トナーの発生量を減じることにより算出すればよい。
【図面の簡単な説明】
【００５６】
【図１】は、本発明に係る画像形成装置の概略構成の一例を示す模式図である。
【図２】は、制御部の一例を示す機能構成図である。
【図３】は、表示制御部によって操作表示部のＬＣＤに表示される画面の一例を示す画面図である。
【図４】は、積算値記録部によって廃棄トナー積算値等が記録用紙上に形成されたステータスページの一例を示す図である。
【符号の説明】
【００５７】
１    プリンタ
１２    操作表示部（表示手段の一部）
２    制御部
２１    ＣＰＵ
２１１    廃棄量算出部（廃棄量算出手段）
２１２    転写量算出部（転写量算出手段）
２１３    消費量算出部（消費量算出手段）
２１４    積算部（積算手段）
２１５    交換判定部（交換判定手段）
２１６    表示制御部（表示手段の一部）
２１７    積算値記録部（積算値記録手段の一部）
２２    ＲＡＭ
２２１    積算値記憶部（積算値記憶手段）
【図１】
2007199446.tif 000003
【図２】
2007199446.tif 000004
【図３】
2007199446.tif 000005
【図４】
2007199446.tif 000006